(57)【要約】【課題】  撮像光学系の光軸とストロボの閃光方向とのパララックスを補正し、ストロボの閃光が常に被写体の中央に向けて照射される撮像装置。【解決手段】  被写体の光像を撮像素子に結像させる撮像光学系と、被写体の方向に対して略直交する方向に閃光を発する発光部と、前記閃光を反射させ被写体に向けて照射する反射部材と、を備え、前記反射部材を回動自在に軸支し、前記撮像光学系の合焦動作に応じて前記反射部材を回動させ、前記発光部から発する閃光が前記反射部材にて反射する際の反射角を可変させること。【選択図】        図２
2005326451.tif 000002
【特許請求の範囲】
【請求項１】
被写体の光像を撮像素子に結像させる撮像光学系と、
被写体の方向に対して略直交する方向に閃光を発する発光部と、
前記閃光を反射させ被写体に向けて照射する反射部材と、を備え、
前記反射部材を回動自在に軸支し、前記撮像光学系の合焦動作に応じて前記反射部材を回動させ、前記発光部から発する閃光が前記反射部材にて反射する際の反射角を可変させることを特徴とする撮像装置。
【請求項２】
被写体の光像を撮像素子に結像させる撮像光学系と、
被写体の方向に対して略直交する方向に閃光を発する発光部と、
前記閃光を反射させ被写体に向けて照射する反射部材と、を備え、
前記発光部を回動自在に軸支し、前記撮像光学系の合焦動作に応じて前記発光部を回動させ、前記発光部から発する閃光が前記反射部材にて反射する際の反射角を可変させることを特徴とする撮像装置。
【請求項３】
撮影距離が遠距離のときは、前記反射部材にて反射する閃光の反射角を略４５度にし、撮影距離が近距離のときは、前記反射部材にて反射する閃光の反射角を４５度より小さい角度にすることを特徴とする請求項１又は請求項２に記載の撮像装置。
【請求項４】
被写体の光像を撮像素子に結像させる撮像光学系と、
被写体の方向に対して略直交する方向に閃光を発する発光部と、
前記閃光を反射させ被写体に向けて照射する反射部材と、を備え、
前記発光部から発する閃光を偏向させるプリズムを前記発光部と前記反射部材との間に挿脱自在に設け、前記撮像光学系の合焦動作に応じて前記プリズムを挿脱することを特徴とする撮像装置。
【請求項５】
撮影距離が遠距離のときは、前記プリズムを抜脱して前記反射部材にて反射する閃光の反射角を略４５度にし、撮影距離が近距離のときは、前記プリズムを挿入して前記反射部材にて反射する閃光の反射角を４５度より小さい角度にすることを特徴とする請求項４に記載の撮像装置。
【請求項６】
ズームレンズからなり被写体の光像を撮像素子に結像させる撮像光学系と、
被写体の方向に対して略直交する方向に閃光を発する発光部と、
前記閃光を反射させ被写体に向けて照射する反射部材と、を備え、
前記発光部と前記反射部材との間に光学部材を配置し、前記撮像光学系の変倍動作に応じて前記発光部若しくは前記光学部材の少なくとも何れか一方を移動させ、前記発光部と前記光学部材との間隔を可変させることを特徴とする撮像装置。
【請求項７】
前記光学部材が凸レンズであり、広角側に変倍したときは前記発光部と前記光学部材との間隔を縮小し、望遠側に変倍したときは前記発光部と前記光学部材との間隔を拡大することを特徴とする請求項６に記載の撮像装置。
【請求項８】
ズームレンズからなり被写体の光像を撮像素子に結像させる撮像光学系と、
被写体の方向に対して略直交する方向に閃光を発する発光部と、
前記閃光を反射させ被写体に向けて照射する反射部材と、を備え、
前記反射部材の反射面を曲面に形成し、前記撮像光学系の変倍動作に応じて前記発光部を移動させ、前記発光部と前記反射部材との間隔を可変させることを特徴とする撮像装置。
【請求項９】
前記反射部材の反射面を凸面に形成し、広角側に変倍したときは前記発光部と前記反射部材との間隔を縮小し、望遠側に変倍したときは前記発光部と前記反射部材との間隔を拡大することを特徴とする請求項８に記載の撮像装置。
【請求項１０】
被写体の光像を撮像素子に結像させる撮像光学系と、
被写体の方向に対して略直交する方向に閃光を発する発光部と、
前記閃光を反射させ被写体に向けて照射する反射部材と、を備え、
前記反射部材の反射率を可変に構成し、前記撮像光学系の合焦動作に応じて前記反射部材の反射率を可変させることを特徴とする撮像装置。
【請求項１１】
前記反射部材の反射面上に液晶板を配置し、撮影距離が遠距離のときは前記液晶板の透過率を増大し、撮影距離が近距離のときは前記液晶板の透過率を低減することを特徴とする請求項１０に記載の撮像装置。
【請求項１２】
被写体の光像を撮像素子に結像させる撮像光学系と、
被写体の方向に対して略直交する方向に閃光を発する発光部と、
前記閃光を反射させ被写体に向けて照射する反射部材と、を備え、
フラッシュ撮影を行うときに前記反射部材を前記撮像光学系から遠ざかる方向に移動可能にしたことを特徴とする撮像装置。
【請求項１３】
赤目低減フラッシュ撮影に設定したときは一般フラッシュ撮影を行うときより前記反射部材を前記撮像光学系から遠ざかる方向に移動させることを特徴とする請求項１２に記載の撮像装置。
【請求項１４】
前記反射部材は反射鏡であることを特徴とする請求項１〜１３の何れか１項に記載の撮像装置。
【請求項１５】
前記反射部材は、フラッシュ撮影を行わないときには略水平に倒伏していて、フラッシュ撮影を行うときには略４５度の角度で回動し起立することを特徴とする請求項１〜１４の何れか１項に記載の撮像装置。
【発明の詳細な説明】
【技術分野】
【０００１】
本発明は、被写体の方向に対して略直交する方向に閃光を発する発光部と、閃光を反射させ被写体に向けて照射する反射部材と、を備えた撮像装置に関する。
【背景技術】
【０００２】
従来の銀塩フィルムを用いるカメラやデジタルカメラにおいては、被写体から結像面に達する撮像光学系の光軸は一直線に形成されている。このために、撮影時には撮像光学系を備えた鏡胴がカメラ本体より突出し、非撮影時には携帯時に不便であるので、鏡胴を沈胴させる形式が一般的である。また、撮像光学系がズームレンズである場合には、多段式の鏡胴にして鏡胴を縮小することも行われている。
【０００３】
また、被写体の方向に対して略直交する方向に撮像光学系の光軸を配置すると共に、これに合わせて記録媒体を配置し、プリズムや反射鏡によって光路を直角に反射させることによって薄型化を図った撮像装置が特許文献に開示されている（特許文献１、特許文献２、特許文献３参照）。
【０００４】
更に、撮像光学系と共にストロボ発光部（以下、発光部という）も同様の姿勢に配置して、発光部から発光する閃光を反射鏡で直角に反射させて被写体に照射するようにした撮像装置が特許文献に開示されている（特許文献１参照）。
【特許文献１】特開２０００−１９６１４号公報
【特許文献２】特開平９−２１１２８７号公報
【特許文献３】特開２００３−２６２９０７号公報
【発明の開示】
【発明が解決しようとする課題】
【０００５】
従来の撮像光学系の光軸が一直線に形成されているカメラにおいて、フラッシュ撮影時に発光部はポップアップするものが多いが、ポップアップした後は発光部は移動することなく静止している。また、特許文献１においても、反射鏡は回動して起立・倒伏するが、発光部は上方を向いたまま静止している。
【０００６】
一方、発光部は赤目防止のために撮像光学系より極力離れた位置に配置されているので、撮影距離が近距離のときには発光部からの照射光の中心が撮像光学系の光軸とずれた状態である、所謂パララックスが生ずる。これにより、撮影距離が近距離のときに撮影画面の上下で配光量が異なってしまうという問題が生ずる。従って、撮影距離に応じて発光部からの照射方向を可変にし、常に被写体の方向に照射するように構成することが望ましいが、被写体の方向に対して略直交する方向に閃光を発するように発光部を配置した方が、種々の方式で容易にパララックスを補正することができることを見出した。
【０００７】
また、撮像光学系がズームレンズである場合は、発光部も焦点距離に応じて照射角度が可変するズームストロボであることが望ましいが、従来の発光部の如く発光部が常に被写体に向けて正対している撮像装置においては、ズームストロボによってその厚みが厚くなり、携帯に支障を来す。しかし、被写体の方向に対して略直交する方向に閃光を発するように発光部を配置すると、撮像装置の厚みを薄くしたままズームストロボを内蔵することが容易になる。
【０００８】
また、同様に反射鏡を設けた場合に、反射鏡の反射率を可変にすれば、絞りを一定にしたまま撮影距離に拘わらず適正露出になるオートストロボを実現できるし、更に、反射鏡を撮像光学系より離れた位置に移動させれば、より赤目防止に役立つ。
【０００９】
このように、閃光を発する発光部を被写体の方向に対して略直交する方向に配置すると共に、閃光を反射させ被写体に向けて照射する反射部材を設けることによって、特許文献１を含めた従来の撮像装置にはない新たな構成と効果を有する撮像装置を実現することができる。
【００１０】
本発明はかかる問題に鑑みてなされたものであり、被写体の方向に対して略直交する方向に閃光を発する発光部と、閃光を反射させ被写体に向けて照射する反射部材と、を備えた撮像装置であって、近距離でのパララックス補正、ズームストロボ、オートストロボ、赤目対策を容易になし得る撮像装置を提供することを目的とする。
【課題を解決するための手段】
【００１１】
上記目的は下記の手段によって達成される。
（１）被写体の光像を撮像素子に結像させる撮像光学系と、被写体の方向に対して略直交する方向に閃光を発する発光部と、前記閃光を反射させ被写体に向けて照射する反射部材と、を備え、前記反射部材を回動自在に軸支し、前記撮像光学系の合焦動作に応じて前記反射部材を回動させ、前記発光部から発する閃光が前記反射部材にて反射する際の反射角を可変させることを特徴とする撮像装置。
（２）被写体の光像を撮像素子に結像させる撮像光学系と、被写体の方向に対して略直交する方向に閃光を発する発光部と、前記閃光を反射させ被写体に向けて照射する反射部材と、を備え、前記発光部を回動自在に軸支し、前記撮像光学系の合焦動作に応じて前記発光部を回動させ、前記発光部から発する閃光が前記反射部材にて反射する際の反射角を可変させることを特徴とする撮像装置。
（３）被写体の光像を撮像素子に結像させる撮像光学系と、被写体の方向に対して略直交する方向に閃光を発する発光部と、前記閃光を反射させ被写体に向けて照射する反射部材と、を備え、前記発光部から発する閃光を偏向させるプリズムを前記発光部と前記反射部材との間に挿脱自在に設け、前記撮像光学系の合焦動作に応じて前記プリズムを挿脱することを特徴とする撮像装置。
（４）ズームレンズからなり被写体の光像を撮像素子に結像させる撮像光学系と、被写体の方向に対して略直交する方向に閃光を発する発光部と、前記閃光を反射させ被写体に向けて照射する反射部材と、を備え、前記発光部と前記反射部材との間に光学部材を配置し、前記撮像光学系の変倍動作に応じて前記発光部若しくは前記光学部材の少なくとも何れか一方を移動させ、前記発光部と前記光学部材との間隔を可変させることを特徴とする撮像装置。
（５）ズームレンズからなり被写体の光像を撮像素子に結像させる撮像光学系と、被写体の方向に対して略直交する方向に閃光を発する発光部と、前記閃光を反射させ被写体に向けて照射する反射部材と、を備え、前記反射部材の反射面を曲面に形成し、前記撮像光学系の変倍動作に応じて前記発光部を移動させ、前記発光部と前記反射部材との間隔を可変させることを特徴とする撮像装置。
（６）被写体の光像を撮像素子に結像させる撮像光学系と、被写体の方向に対して略直交する方向に閃光を発する発光部と、前記閃光を反射させ被写体に向けて照射する反射部材と、を備え、前記反射部材の反射率を可変に構成し、前記撮像光学系の合焦動作に応じて前記反射部材の反射率を可変させることを特徴とする撮像装置。
（７）被写体の光像を撮像素子に結像させる撮像光学系と、被写体の方向に対して略直交する方向に閃光を発する発光部と、前記閃光を反射させ被写体に向けて照射する反射部材と、を備え、フラッシュ撮影を行うときに前記反射部材を前記撮像光学系から遠ざかる方向に移動可能にしたことを特徴とする撮像装置。
【発明の効果】
【００１２】
請求項１〜５，１４，１５に記載の撮像装置によれば、撮像光学系の合焦動作に応じてストロボの閃光方向を可変にしたので、撮像光学系の光軸とストロボの閃光方向とのパララックスが補正され、ストロボの閃光は常に被写体の中央に向けて照射されることになって、撮影画面の上下で配光量が異なるといった不具合が解消される。特に、マクロ撮影時にはパララックスが大きいので、効果が大である。
【００１３】
請求項６〜９，１４，１５に記載の撮像装置によれば、撮像光学系の変倍動作、即ち撮像光学系の画角の変化に応じて発光部からの閃光の照射角度を可変にしたので、発光部からの閃光が撮影画面外に無駄に照射されるといったことがなく、その結果、総光量が低下することがない。
【００１４】
請求項１０，１１，１４，１５に記載の撮像装置によれば、撮像光学系の合焦動作に応じて、照射されるストロボの閃光量を可変にしたので、発光部にて発光する閃光量が一定であって、しかも撮像光学系に設けた絞りの絞り値が一定であっても、撮影距離に拘わらず常に適正露出になる。
【００１５】
請求項１２〜１５に記載の撮像装置によれば、赤目低減モードに設定したときに被写体への照射する閃光の中心が撮像光学系の光軸より更に遠ざかるので、人物を暗い場所や近距離等で撮影しても、赤目が発生し難くなる。
【発明を実施するための最良の形態】
【００１６】
以下に、本発明の撮像装置に関する７種の実施の形態を説明する。
【００１７】
［第１の実施の形態］
第１の実施の形態を図１乃至図２を参照して説明する。
【００１８】
図１はフラッシュ撮影を行わないときのストロボ発光部等の縦断面図、図２（Ａ）は遠距離でフラッシュ撮影を行うときのストロボ発光部等の縦断面図、図２（Ｂ）は近距離でフラッシュ撮影を行うときのストロボ発光部等の縦断面図である。
【００１９】
図１及び図２において、撮像光学系Ｌは鏡胴Ｔに保持され、図の左方に位置する被写体の光像は撮像光学系ＬによってＣＣＤ等からなる撮像素子Ｃに結像する。そして、非撮影時には図１に示す如く鏡胴Ｔは沈胴し、撮影時には図２に示す如く繰り出される。
【００２０】
１１はストロボ発光部（以下、発光部という）であり、発光管１１ａ及び反射傘１１ｂからなり、被写体の方向に対して直交する方向（図は上方であるが、側方であってもよい）を向いている。１２は反射部材であり、支軸１３を中心に回動自在であるが、非撮影時には図２の如く略水平に倒伏している。反射部材１２は反射面１２ａを有しており、反射部材１２は反射面１２ａを有する反射鏡を装着した２部品のものであってもよいし、蒸着等によって反射面１２ａを直接形成した１部品のものであってもよい。
【００２１】
そして、フラッシュ撮影を行わないときには図１の如く反射部材１２は略水平に倒伏していて、内部の発光部１１等を被覆し保護している。
【００２２】
一方、フラッシュ撮影を行うときには、反射部材１２を手で持って、図２（Ａ）の如く略４５度の角度で傾斜した状態に起立させる。
【００２３】
反射部材１２の起倒にあたっては、タンブラーバネを設け、倒伏状態と起立状態との中間にデッドポイントがあるものの、反射部材１２を倒伏方向と起立方向との双方に付勢するようにするのが望ましい。しかし、反射部材１２をバネで倒伏方向にのみ付勢して起立状態ではクリックバネ等によって係止したり、この逆に、バネで起立方向にのみ付勢して倒伏状態ではクリックバネ等によって係止したりしてもよい。
【００２４】
また、反射部材１２を電動によって倒伏・起立する構成にしてもよい。この場合は、不図示のメインスイッチをオンにすると反射部材１２が自動的に回動して起立し、メインスイッチをオフにすると反射部材１２が自動的に回動して倒伏する構成が望ましい。
【００２５】
このようにして、反射部材１２を起立させた後は、反射部材１２は撮像光学系Ｌのフォーカシングに連動して回動する。即ち、撮像光学系Ｌを遠距離の被写体に合焦させたときは、図２（Ａ）に示す如く反射部材１２は水平方向に対して略４５度の角度で傾斜しているが、撮像光学系Ｌを近距離の被写体に合焦させたときは、図２（Ｂ）に示す如く反射部材１２は倒伏方向に回動して、４５度より小さい角度で傾斜する。これにより、発光部１１から発したストロボの閃光は、反射部材１２の反射面１２ａで反射して左方に位置する被写体に向けて照射されるが、遠距離の撮影時には反射面１２ａで反射される閃光の反射角θ１は略４５度であるが、近距離の撮影時には反射面１２ａで反射される閃光の反射角θ２は４５度より小さい角度になる。
【００２６】
従って、撮像光学系Ｌにより合焦した被写体に発光部１１からの閃光の中心が照射するように、鏡胴Ｔの合焦動作に連動して反射部材１２を回動させ、反射面１２ａの反射角を可変させれば、撮像光学系Ｌの光軸とストロボの閃光方向とのパララックスが補正され、ストロボの閃光は常に被写体の中央に向けて照射されることになって、撮影画面の上下で配光量が異なるといった不具合が解消される。
【００２７】
特に、花等を近接撮影するマクロ撮影においてはパララックスが非常に大きいので、このように構成することにより多大な効果が得られる。
【００２８】
なお、反射部材１２は撮像光学系Ｌのフォーカシングが完了した後に回動するようにしてもよい。
【００２９】
また、鏡胴Ｔと反射部材１２との連動機構は省略してあるが、鏡胴Ｔを進退させることにより反射部材１２を回動させる機構としては、リンク機構を用いたりカムを用いたりして、個々の撮像装置の形態に好適な種々の機構を採用することができる。
【００３０】
［第２の実施の形態］
第２の実施の形態を図３を参照して説明する。
【００３１】
図３（Ａ）は遠距離でフラッシュ撮影を行うときのストロボ発光部等の縦断面図、図３（Ｂ）は近距離でフラッシュ撮影を行うときのストロボ発光部等の縦断面図である。
【００３２】
撮像光学系Ｌを有する鏡胴Ｔが進退する構成や、反射部材２２が支軸２３を中心に回動する構成、及び撮像素子Ｃは第１の実施の形態と同様であるので、説明を省略する。なお、フラッシュ撮影時に反射部材２２は水平方向に対して略４５度の傾斜で起立し、フォーカシングに連動して回動することはない。
【００３３】
２１は発光部であり、発光管２１ａ及び反射傘２１ｂからなり、被写体の方向に対して略直交する方向（図は上方であるが、側方であってもよい）を向いている。但し、発光部２１は支軸２４を中心に回動自在に構成されている。
【００３４】
反射部材２２を起立させた後は、発光部２１は撮像光学系Ｌのフォーカシングに連動して回動する。即ち、撮像光学系Ｌを遠距離の被写体に合焦させたときは、図３（Ａ）に示す如く発光部２１は真上を向いているが、撮像光学系Ｌを近距離の被写体に合焦させたときは、図３（Ｂ）に示す如く発光部２１は時計方向に回動する。これにより、発光部２１から発したストロボの閃光は、反射部材２２の反射面２２ａで反射して左方に位置する被写体に向けて照射されるが、遠距離の撮影時には反射部材２２で反射される閃光の反射角θ１は略４５度であるが、近距離の撮影時には反射部材２２で反射される閃光の反射角θ２は４５度より小さい角度になる。
【００３５】
従って、撮像光学系Ｌにより合焦した被写体に発光部２１からの閃光の中心が照射するように、鏡胴Ｔの合焦動作に連動して発光部２１を回動させ、反射面２２ａでの反射角を可変させれば、撮像光学系Ｌの光軸とストロボの閃光方向とのパララックスが補正され、ストロボの閃光は常に被写体の中央に向けて照射されることになって、撮影画面の上下で配光量が異なるといった不具合が解消される。
【００３６】
なお、発光部２１は撮像光学系Ｌのフォーカシングが完了した後に回動するようにしてもよい。
【００３７】
また、鏡胴Ｔと発光部２１との連動機構は省略してあるが、鏡胴Ｔを進退させることにより発光部２１を回動させる機構としては、リンク機構を用いたりカムを用いたりして、個々の撮像装置の形態に好適な種々の機構を採用することができる。
【００３８】
［第３の実施の形態］
第３の実施の形態を図４を参照して説明する。
【００３９】
図４（Ａ）は遠距離でフラッシュ撮影を行うときのストロボ発光部等の縦断面図、図４（Ｂ）は近距離でフラッシュ撮影を行うときのストロボ発光部等の縦断面図である。
【００４０】
撮像光学系Ｌを有する鏡胴Ｔが進退する構成や、反射部材３２が支軸３３を中心に回動する構成、及び撮像素子Ｃは第１の実施の形態と同様であるので、説明を省略する。なお、フラッシュ撮影時に反射部材３２は水平方向に対して略４５度の傾斜で起立し、回動することはない。
【００４１】
３１は発光部であり、発光管３１ａ及び反射傘３１ｂからなり、被写体の方向に対して略直交する方向（図は上方であるが、側方であってもよい）を向いている。また、発光部３１と反射部材３２との間で発光部３１からの閃光光路をけらない位置に、プリズム３４が挿脱自在に配置されている。
【００４２】
反射部材３２を起立させた後は、プリズム３４は撮像光学系Ｌのフォーカシングに連動して挿脱する。即ち、撮像光学系Ｌを所定の距離より遠距離の被写体に合焦させたときは、図４（Ａ）に示す如くプリズム３４は退避しているが、撮像光学系Ｌを所定の距離より近距離の被写体に合焦させたときは、図４（Ｂ）に示す如くプリズム３４が発光部３１と反射部材３２との間に挿入される。これにより、遠距離の撮影時にはプリズム３４が退避しているので、発光部２１から発したストロボの閃光は反射面３２ａで略４５度の反射角θ１で反射するが、近距離の撮影時にはプリズム３４が挿入されているので、発光部２１から発したストロボの閃光は図の右方に屈折し、反射面３２ａで反射される閃光の反射角θ２は４５度より小さい角度になる。
【００４３】
従って、所定の近距離に発光部２１からの閃光の中心が照射するようにプリズム３４の角度を設定しておいて、鏡胴Ｔの合焦動作に連動してプリズム３４を挿脱させれば、反射面３２ａでの反射角が可変し、近距離でのパララックスが補正され、撮影画面の上下で配光量が異なるといった不具合が解消される。
【００４４】
なお、プリズム３４は撮像光学系Ｌのフォーカシングが完了した後に挿脱するようにしてもよい。
【００４５】
また、鏡胴Ｔとプリズム３４との連動機構は省略してあるが、鏡胴Ｔを進退させることにより発光部２１を挿脱させる機構としては、リンク機構を用いたりカムを用いたりして、個々の撮像装置の形態に好適な種々の機構を採用することができる。
【００４６】
［第４の実施の形態］
第４の実施の形態を図５を参照して説明する。
【００４７】
図５（Ａ）はズームレンズを広角に設定しフラッシュ撮影を行うときのストロボ発光部等の縦断面図、図５（Ｂ）はズームレンズを望遠に設定しフラッシュ撮影を行うときのストロボ発光部等の縦断面図である。
【００４８】
本実施の形態においては撮像光学系Ｌはズームレンズである点が前述の実施の形態と異なる。しかし、撮像光学系Ｌを有する鏡胴Ｔが進退する構成や、反射部材４２が支軸４３を中心に回動する構成、及び撮像素子Ｃは第１の実施の形態と同様であるので、説明を省略する。なお、フラッシュ撮影時に反射部材４２は水平方向に対して略４５度の傾斜で起立し、回動することはない。
【００４９】
４１は発光部であり、発光管４１ａ及び反射傘４１ｂからなり、被写体の方向に対して略直交する方向（図は上方であるが、側方であってもよい）を向いている。また、発光部４１と反射部材４２との間で発光部４１からの閃光光路をけらない位置に、光学部材４４が光軸を閃光の中心と合致させて進退自在に配置されている。なお、光学部材４４を凸レンズとし、薄型に形成するためにフレネルレンズにすることが望ましい。
【００５０】
図５（Ａ）の如く撮像光学系Ｌを広角側にズーミングしたときは、光学部材４４は発光部４１の近傍に位置していて、発光部４１の閃光は光学部材４４によってさほど集光されずに反射面４２ａにて反射して、被写体に向けて照射される。一方、撮像光学系Ｌを望遠側にズーミングしたときは、光学部材４４は発光部４１より離間し、発光部４１の閃光は光学部材４４によって集光されて照射角度が狭まった後、反射面４２ａにて反射して、被写体に向けて照射される。
【００５１】
このように、撮像光学系の変倍動作、即ち撮像光学系Ｌの画角に対応して発光部４１からの閃光の照射角度を可変させることができるので、発光部４１の閃光が撮影画面外に無駄に照射されるといったことがなく、撮像光学系Ｌの画角が変化しても、その画角に応じた適切な照射角度を維持することができる。
【００５２】
なお、鏡胴Ｔと光学部材４４との連動機構は省略してあるが、鏡胴Ｔを進退させることにより光学部材４４を進退させる機構としては、リンク機構を用いたりカムを用いたりして、個々の撮像装置の形態に好適な種々の機構を採用することができる。
【００５３】
また、以上の実施の形態は発光部４１を固定して光学部材４４を進退させたが、光学部材４４を固定して発光部４１を進退させるようにしてもよいし、発光部４１と光学部材４４の双方を進退させるようにしてもよい。
【００５４】
以上の構成により、撮像光学系Ｌの変倍比が大きい場合には、望遠時に光学部材４４と発光部４１とを大きく離間させる必要があるが、これらは撮像装置の縦方向に配置されているので、充分な余裕があり、従来の方式と異なって撮像装置の厚みによる制約を受けることがない。
【００５５】
［第５の実施の形態］
第５の実施の形態を図６を参照して説明する。
【００５６】
図６（Ａ）はズームレンズを広角に設定しフラッシュ撮影を行うときのストロボ発光部等の縦断面図、図６（Ｂ）はズームレンズを望遠に設定しフラッシュ撮影を行うときのストロボ発光部等の縦断面図である。
【００５７】
本実施の形態は第４の実施の形態と類似しているので、相違点のみを記す。
【００５８】
本実施の形態においては、光学部材４４を設けずに、反射部材５２の反射面５２ａを曲面、即ち凸面に形成している。そして、発光管５１ａ及び反射傘５１ｂを有する発光部５１を、支軸５３を中心に回動する反射部材５２に対して進退させている。
【００５９】
図６（Ａ）の如く撮像光学系Ｌを広角にズーミングしたときは、発光部５１と反射部材５２との距離は狭まっていて、発光部５１の閃光は反射部材５２の反射面５２ａにて集光・反射され、被写体に向けて照射される。一方、撮像光学系Ｌを望遠にズーミングしたときは、発光部５１と反射部材５２との距離は離れ、発光部５１の閃光は反射部材５２の反射面５２ａによって更に集光されて照射角度が狭まって反射され、被写体に向けて照射される。
【００６０】
［第６の実施の形態］
第６の実施の形態を図７を参照して説明する。
【００６１】
図７はフラッシュ撮影を行うときのストロボ発光部等の縦断面図である。
【００６２】
撮像光学系Ｌを有する鏡胴Ｔが進退する構成や、発光管６１ａ及び反射傘６１ｂを有する発光部６１の構成、反射部材６２が支軸６３を中心に回動する構成、及び撮像素子Ｃは第１の実施の形態と同様であるので、説明を省略する。なお、フラッシュ撮影時に反射部材６２は水平方向に対して略４５度の傾斜で起立して回動することはない。
【００６３】
反射部材６２は反射面６２ａ上に液晶板６４を配置している。そして、液晶板６４の透過率は撮像光学系Ｌの合焦動作に応じて可変する。即ち、撮像光学系Ｌを遠距離の被写体に合焦させたときは、液晶板６４の透過率が増大し、撮像光学系Ｌを近距離の被写体に合焦させたときは、液晶板６４の透過率が減少する。
【００６４】
また、液晶板６４に代えて、電圧を制御することによって反射率が変化するＥＣジェル（エレクトロクロミックジェル）を用いてもよい。
【００６５】
これにより、発光部６１からの閃光量が一定であって、しかも撮像光学系に設けた不図示の絞りの絞り値が一定であっても、遠距離の被写体に照射される閃光量は多くなり、近距離の被写体に照射される閃光量は少なくなるので、撮影距離に拘わらず常に適正露出になる。
【００６６】
［第７の実施の形態］
第７の実施の形態を図８を参照して説明する。
【００６７】
図８（Ａ）は通常のフラッシュ撮影を行うときのストロボ発光部等の縦断面図、図８（Ｂ）は赤目低減モードのフラッシュ撮影を行うときのストロボ発光部等の縦断面図である。
【００６８】
先ず、撮像光学系Ｌを有する鏡胴Ｔが進退する構成や、発光管７１ａ及び反射傘７１ｂを有する発光部７１の構成、反射部材７２が支軸７３を中心に回動する構成、及び撮像素子Ｃは第１の実施の形態と同様であるので、説明を省略する。
【００６９】
通常のフラッシュ撮影時には、図８（Ａ）の如く、反射部材７２を水平方向に対して略４５度の角度で傾斜・起立させて撮影を行う。なお、このときに第１の実施の形態から第６の実施の形態までの何れかの構成を加味してもよい。
【００７０】
一方、人物を近距離や暗い場所でフラッシュ撮影して、赤目が発生し易い状態のときには、不図示の操作を行って赤目低減モードに設定することにより、図８（Ｂ）の如く支軸７３の支柱７４のフックが外れ、支柱７４は不図示のバネによって上昇し、反射部材７２も上昇する。即ち、反射部材７２は発光部７１や撮像光学系Ｌより遠ざかる。
【００７１】
なお、図８（Ｂ）の状態から図８（Ａ）の状態に復帰させるのは反射部材７２を手で押せばよい。また、図８（Ａ）の状態と図８（Ｂ）の状態との往復作動を電動によって行ってもよい。
【００７２】
この結果、反射部材７２の反射面７２ａによって照射される閃光の中心と撮像光学系Ｌの光軸Ｏとの間隔が、図８（Ｂ）においては図８（Ａ）より離れるので、赤目低減になる。
【００７３】
なお、フラッシュ撮影を行うときは、反射部材７２は図１の如く倒伏した状態から図８（Ａ）の起立した状態になり、その後、撮影モードに無関係に直ちに図８（Ｂ）の状態になるように構成してもよい。
【００７４】
最後に、以上の７種の実施の形態において、第４の実施の形態乃至第７の実施の形態においては、撮像光学系Ｌの光軸を、発光部４１〜７１からの閃光の発光方向と平行になるように配置すると共に、撮像素子Ｃもこれに合わせて配置し、反射部材４２〜７２と同様な反射部材を設けて被写体の光像を該反射部材で反射させた後、撮像光学系Ｌによって撮像素子Ｃに結像させるようにしてもよい。
【図面の簡単な説明】
【００７５】
【図１】フラッシュ撮影を行わないときのストロボ発光部等の縦断面図である。
【図２】第１の実施の形態における、遠距離や近距離でフラッシュ撮影を行うときのストロボ発光部等の縦断面図である。
【図３】第２の実施の形態における、遠距離や近距離でフラッシュ撮影を行うときのストロボ発光部等の縦断面図である。
【図４】第３の実施の形態における、遠距離や近距離でフラッシュ撮影を行うときのストロボ発光部等の縦断面図である。
【図５】第４の実施の形態における、広角や望遠に設定してフラッシュ撮影を行うときのストロボ発光部等の縦断面図である。
【図６】第５の実施の形態における、広角や望遠に設定してフラッシュ撮影を行うときのストロボ発光部等の縦断面図である。
【図７】第６の実施の形態における、フラッシュ撮影を行うときのストロボ発光部等の縦断面図である。
【図８】第７の実施の形態における、通常のフラッシュ撮影や赤目低減モードでのフラッシュ撮影を行うときのストロボ発光部等の縦断面図である。
【符号の説明】
【００７６】
Ｌ  撮像光学系
Ｔ  鏡胴
Ｃ  撮像素子
１１，２１，３１，４１，５１，６１，７１  発光部（ストロボ発光部）
１１ａ，２１ａ，３１ａ，４１ａ，５１ａ，６１ａ，７１ａ  発光管
１１ｂ，２１ｂ，３１ｂ，４１ｂ，５１ｂ、６１ｂ，７１ｂ  反射傘
１２，２２，３２，４２，５２，６２，７２  反射部材
１２ａ，２２ａ，３２ａ，４２ａ，５２ａ，６２ａ，７２ａ  反射面
１３，２３，２４，３３，４３，５３，６３，７３  支軸
３４  プリズム
４４  光学部材
６４  液晶板
７４  支柱
【図１】
2005326451.tif 000003
【図２】
2005326451.tif 000004
【図３】
2005326451.tif 000005
【図４】
2005326451.tif 000006
【図５】
2005326451.tif 000007
【図６】
2005326451.tif 000008
【図７】
2005326451.tif 000009
【図８】
2005326451.tif 000010